(57)【要約】【課題】  短い時間で暗証情報を入力でき、かつ、より短い時間で暗証情報が入力された場合、より限られた動作を行わせる個人認証処理を行う移動通信端末を提供する。【解決手段】  リズムパターン判定部は、音楽再生を開始させ（ステップＳ３４ｃ）、キー操作、または、開閉操作を入力し（ステップＳ３４ｄ）、入力された操作から作成されたリズムパターンと、装置に記憶されたリズムパターンとを比較して、類似度と、適切なロック解除の種類を評価する（ステップＳ３４ｅ）。そして、類似度が大きい場合（ステップＳ３４ｆの「大きい」）、認証成功と、適切なロック解除の種類を通知する（ステップＳ３４ｈ）。【選択図】  図７
2007235867.tif 000002
【特許請求の範囲】
【請求項１】
音を出力する出力手段と、
情報を入力する入力手段と、
リズムパターンを記憶するリズムパターン記憶手段と、
前記入力手段から前記出力手段が音を出力している状態で入力されたリズムパターンを、前記リズムパターン記憶手段に予め記憶させるリズムパターン登録手段と、
前記入力手段から前記出力手段が前記音を出力している状態で入力されたリズムパターンと、前記リズムパターン記憶手段に記憶されたリズムパターンとを比較し、それらのリズムパターンの類似度を算出するリズムパターン判定手段と、
前記リズムパターン判定手段により算出された類似度が所定の閾値以上である場合、端末の所定の機能を動作可能とさせる制御手段と
を有することを特徴とする移動通信端末。
【請求項２】
第１の筐体と第２の筐体とが開閉されることによって操作され、情報を入力する入力手段と、
リズムパターンを記憶するリズムパターン記憶手段と、
前記入力手段から入力されたリズムパターンを前記リズムパターン記憶手段に予め記憶させるリズムパターン登録手段と、
前記入力手段から入力されたリズムパターンと、前記リズムパターン記憶手段に記憶されたリズムパターンとを比較し、それらのリズムパターンの類似度を算出するリズムパターン判定手段と、
前記リズムパターン判定手段により算出された類似度が所定の閾値以上である場合、端末の所定の機能を動作可能とさせる制御手段と
を有することを特徴とする移動通信端末。
【請求項３】
複数の入力キーからなる入力手段と、
リズムパターンと、キーを識別する情報とを記憶するリズムパターン記憶手段と、
前記入力手段から入力されたリズムパターンと、このリズムパターンが入力されたキーを識別する情報とを前記リズムパターン記憶手段に予め記憶させるリズムパターン登録手段と、
前記入力手段から入力されたリズムパターンと、前記リズムパターン記憶手段に記憶されたリズムパターンとを比較し、それらのリズムパターンの類似度を算出するとともに、前記入力手段からリズムパターンが入力されたキーを判定するリズムパターン判定手段と、
前記リズムパターン判定手段により、算出された類似度が所定の閾値以上であり、かつ、前記リズムパターンが入力されたキーが前記リズムパターン記憶手段に記憶されたキーを識別する情報によって識別されるキーである場合、端末の第１の数の機能を動作可能とさせ、前記リズムパターン判定手段により算出された類似度が前記所定の閾値以上であり、かつ、前記リズムパターンが入力されたキーが前記リズムパターン記憶手段に記憶されたキーを識別する情報によって識別されるキーと異なる場合、前記端末の第１の数よりも少ない第２の数の機能を動作可能とさせる制御手段と
を有することを特徴とする移動通信端末。
【請求項４】
第１の筐体と第２の筐体とが開閉自在に結合されてなり、
リズムパターンが入力されるキーは、前記第１の筐体と前記第２の筐体とが閉状態にある場合に操作可能なキーであることを特徴とする請求項３記載の移動通信端末。
【請求項５】
第１の筐体と第２の筐体とが開閉自在に結合されてなり、
リズムパターンが入力されるキーは、前記第１の筐体と前記第２の筐体とが開状態にある場合に操作可能なキーであることを特徴とする請求項３記載の移動通信端末。
【請求項６】
近距離無線通信手段を具備し、
前記第２の数の機能は、少なくとも前記近距離無線通信手段が実行する機能を含むことを特徴とする請求項３記載の移動通信端末。
【発明の詳細な説明】
【技術分野】
【０００１】
本発明は、移動通信端末に係り、特に、機能ロックの解除をするためのユーザーの個人認証処理に関する。
【背景技術】
【０００２】
移動通信端末は、使用者によって事前に暗証情報登録用にキー操作を介して入力された暗証情報（たとえば、暗証番号）を記憶することが可能であり、その装置は、キー操作によって入力された暗証情報と、あらかじめ装置に記憶された暗証情報を比較し、それらの情報が一致した場合に装置の様々な動作を許可させる個人認証処理が広く知られている。
【０００３】
この処理は、例えば、正当でない使用者によって装置内に記憶されたアドレス帳等の情報が閲覧、使用され、または、更新されることを防ぐためである。また、正当でない使用者によって行われた通信によって金銭の損害が発生することを防ぐためでもある。
【０００４】
また、移動通信端末は小型であり、使用者は、常に携帯することが多い。そして、片手で荷物を持ち、その他の手で装置を保持しつつキー操作をすることもある。そのため、暗証情報が複数の数字からなる暗証番号である場合、それぞれの数字に対応するキーを視認しつつ操作するために多くの時間を必要とすることも皆無ではない。
【０００５】
さらに、開閉自在の移動通信端末においては、装置が閉状態にある場合、暗証情報を入力するために装置を閉状態から開状態に変化させた後で暗証情報を入力するには、装置を閉状態から開状態に変化さるための時間が必要となる。
【０００６】
そこで、個人認証を容易とするため、所定リズムパターンを暗証情報とし、使用者はキーを所定のリズムパターンで押下し、押下によって表されたリズムパターンと、装置に記憶されたリズムパターンとを比較し、これらのパターンの類似度が所定の閾値以上である場合に動作を行わせる個人認証処理が知られている（例えば、特許文献１参照。）。
【０００７】
また、開閉自在の移動通信端末においては、装置が閉状態にあっても操作可能なキーがある場合、そのキーによっても暗証情報の入力が可能とする処理が知られている。ここで、装置が開状態にある場合に操作可能なキーの数は、装置が閉状態にある場合に操作可能なキーの数より多いので、装置が開状態にある場合には複雑な暗証情報を入力することが可能であるため、より厳重な個人認証処理が可能である（例えば、特許文献２参照。）。
【特許文献１】特開２００１−３０６２２６号公報（第２頁、図２）
【特許文献２】特開２００５−３４７９８６号公報（第２、１０頁、図１）
【発明の開示】
【発明が解決しようとする課題】
【０００８】
しかしながら、短い時間で個人認証を行うために暗証情報を入力でき、かつ、より短い時間で暗証情報が入力された場合により限られた動作を行わせる個人認証処理は明らかでない問題点があった。即ち、上述した特許文献１に開示されている方法では、登録用、及び、認証用に同じリズムパターンを入力することが困難である問題点があった。この問題点は、例えば、装置の使用者が音楽に興味が少なく、好みの音楽を持たない場合等で顕著である。
【０００９】
また、上述した特許文献２に開示されている方法では、装置が開状態において個人認証処理が行われた場合と、装置が閉状態において個人認証処理が行われた場合とで、装置の動作に如何なる相違を設けることが適切であるかが明らかでない問題点があった。
【００１０】
本発明は、上記問題点を解決するためになされたもので、短い時間で暗証情報を入力でき、かつ、より短い時間で暗証情報が入力された場合、より限られた動作を行わせる個人認証処理を行う移動通信端末を提供することを目的とする。
【課題を解決するための手段】
【００１１】
上記目的を達成するために、本発明の移動通信端末は、音を出力する出力手段と、情報を入力する入力手段と、リズムパターンを記憶するリズムパターン記憶手段と、前記入力手段から前記出力手段が音を出力している状態で入力されたリズムパターンを、前記リズムパターン記憶手段に予め記憶させるリズムパターン登録手段と、前記入力手段から前記出力手段が前記音を出力している状態で入力されたリズムパターンと、前記リズムパターン記憶手段に記憶されたリズムパターンとを比較し、それらのリズムパターンの類似度を算出するリズムパターン判定手段と、前記リズムパターン判定手段により算出された類似度が所定の閾値以上である場合、端末の所定の機能を動作可能とさせる制御手段とを有することを特徴とする。
【００１２】
また、本発明の移動通信端末は、第１の筐体と第２の筐体とが開閉されることによって操作され、情報を入力する入力手段と、リズムパターンを記憶するリズムパターン記憶手段と、前記入力手段から入力されたリズムパターンを前記リズムパターン記憶手段に予め記憶させるリズムパターン登録手段と、前記入力手段から入力されたリズムパターンと、前記リズムパターン記憶手段に記憶されたリズムパターンとを比較し、それらのリズムパターンの類似度を算出するリズムパターン判定手段と、前記リズムパターン判定手段により算出された類似度が所定の閾値以上である場合、端末の所定の機能を動作可能とさせる制御手段とを有することを特徴とする。
【発明の効果】
【００１３】
本発明によれば、短い時間で暗証情報を入力でき、かつ、より短い時間で暗証情報が入力された場合、より限られた動作を行わせる個人認証処理を行う移動通信端末を提供することができる。
【発明を実施するための最良の形態】
【００１４】
以下に、本発明による移動通信端末の実施の形態を、図面を参照して説明する。図１は、本発明の実施形態に係る折畳み型移動通信端末の上下筐体の折畳みを開いた時の外観を示す図である。図１（ａ）は側面図を、図１（ｂ）は正面図をそれぞれ示す。この移動通信端末は、上筐体ＭＳ１と下筐体ＭＳ２とが、ヒンジ部ＭＳ３によって回動自在に連結されてなる。
【００１５】
上筐体ＭＳ１の内面には、受話に用いられるスピーカ１４ａと、使用者に操作を促す表示や、使用者が操作した内容の表示や、カーソル位置や、装置の動作状態の表示などに用いられるバックライト付きのＬＣＤ（Liquid Crystal Display）からなる表示部１５とが設置されている。
【００１６】
また、下筐体ＭＳ２の内面には、送話に用いられるマイクロフォン１４ｂが設置されている。下筐体ＭＳ２の内面と側面には、キーパッドからなる入力部１６が設けられている。更に、下筐体ＭＳ２内には、基地局（図示せず）との間の電波の送受に用いられるアンテナ（図示せず）と、例えば、ＮＦＣ（Near Field Communication）チップであるＩＣチップ部（図示せず）と、ＩＣチップ部に接続され、ＩＣチップリーダライタ（図示せず）との間の電波の送受に用いられるアンテナ（図示せず）とが設置されている。
【００１７】
入力部１６は、下筐体ＭＳ２の内面に設置され、各機能での確定や選択を指示するために用いられる決定キー１６ａと、決定キー１６ａに隣接して決定キー１６ａを取り囲んで設置され、表示部１５上のカーソル位置の移動指示などに用いられる移動キー１６ｂとを含む。
【００１８】
更に、入力部１６は、英数字や文字、記号の入力などに用いられる数字キーと、移動通信端末の電源の投入及び切断などの動作指示の入力に用いられる複数の機能キーと、下筐体ＭＳ２の側面に設置された複数の側面キー１６ｃとを含んでいる。
【００１９】
更に、ヒンジ部ＭＳ３には、上下筐体ＭＳ１、ＭＳ２が開状態にあるか、または、閉状態にあるかを検出する開閉検出部（図示せず）が設置されて、その開閉検出部から開閉信号が出力されている。開閉検出部は、上筐体ＭＳ１の内側に設けられた凸部ＭＳ３ａと、下筐体ＭＳ２の内面にあって、上下筐体ＭＳ１、ＭＳ２が閉状態にある際にその凸部ＭＳ３ａによって押下される位置に設けられたキースイッチＭＳ３ｂとからなり、そのキースイッチＭＳ３ｂが押下されているか否かによって上下筐体ＭＳ１、ＭＳ２が閉状態にあるか、または、開状態にあるかを検出するが、これに限るものではない。
【００２０】
開閉検出部は、上下筐体ＭＳ１、ＭＳ２のそれぞれの内部であって、上下筐体ＭＳ１、ＭＳ２が閉状態にある際に近距離である位置に設けられた２つの磁石からなり、それらの磁石の間に働く磁力の有無によって上下筐体ＭＳ１、ＭＳ２が閉状態にあるか、または、開状態にあるかを検出しても良い。
【００２１】
図２は、この折畳み型移動通信端末を、図１に示した上下筐体ＭＳ１、ＭＳ２が開状態にある状態から、上筐体ＭＳ１が回動されて上下筐体ＭＳ１、ＭＳ２が閉状態になった状態の外観を示す図である。図２（ａ）は側面図を、図２（ｂ）は正面図、即ち上筐体ＭＳ１の外面図をそれぞれ示す。この、上下筐体ＭＳ１、ＭＳ２が開状態にある状態では、上筐体ＭＳ１の内面に設置された表示部１５の表示は視認されず、また、下筐体ＭＳ２の側面に設置された側面キー１６ｃは操作されるものの、下筐体ＭＳ２の内面に設置された入力部１６のキーは操作されない。
【００２２】
なお、既に説明した通り、開閉検出部は、図１に示した上下筐体ＭＳ１、ＭＳ２が開状態にある状態では、開状態である旨の開閉信号を出力し、図２に示した上下筐体ＭＳ１、ＭＳ２が閉状態にある状態では、閉状態である旨の開閉信号を出力する。そして、上下筐体ＭＳ１、ＭＳ２が上記閉状態から回動され、上記開状態と上記閉状態の中間の角度をなすに至るより前に、開閉信号は、閉状態である旨から開状態である旨に変化する。言い換えると、比較的少量の回動によって、開閉信号は、閉状態である旨から開状態である旨に変化する。
【００２３】
また、移動通信端末は、上筐体ＭＳ１と下筐体ＭＳ２とが、ヒンジ部ＭＳ３によって回動自在に連結されてなるものとして説明したが、それに限るものではなく、例えば、上筐体ＭＳ１が、該筐体の縦長方向軸に対して、回転可能な構造、いわゆるスィーベル型の構造としても良い。さらに、例えば、２つの筐体がスライド自在に連結されて開閉される、いわゆる、スライド型の構造としても良い。
【００２４】
図３は、この移動通信端末の構成を示すブロック図である。この移動通信端末は、開閉信号ＭＳ３ｃが入力され、装置全体の制御を行う制御部１１と、基地局との間で電波の送受信を行うアンテナ１２ａと、通信部１２ｂと、送受信部１３と、受話用のスピーカ１４ａと、送話用のマイクロフォン１４ｂと、通話部１４ｃと、表示部１５と、入力部１６と、アドレス帳管理部２１と、アドレス帳記憶部２２と、電子メール送受信部２３と、音楽再生部２４と、音楽再生用のスピーカ２４ａと、音楽コンテンツ記憶部２５と、ＩＣチップ部２６と、ＩＣチップ部２６とＩＣチップリーダライタとの間の通信のための電波の送受に用いられるアンテナ２６ａと、認証処理部３１とからなる。
【００２５】
アドレス帳記憶部２２には、アドレス帳２２ａが記憶される。アドレス帳２２ａは、名前と、電話番号と、電子メールアドレスとが対応付けられた情報からなるが、これに限るものではない。更に、住所や誕生日が対応付けられていても良い。
【００２６】
音楽コンテンツ記憶部２５には、音楽コンテンツ２５ａが記憶される。音楽コンテンツ２５ａは、符号化された音声情報であるが、これに限るものではない。符号化されていなくとも良い。また、符号化された動画像、または、静止画を含んでいても良い。
【００２７】
図４は、認証処理部３１の構成を示すブロック図である。認証処理部３１は、制御部１１と接続されるリズムパターン登録部３２と、リズムパターン記憶部３３と、制御部１１と接続されるリズムパターン判定部３４とからなる。
【００２８】
リズムパターン記憶部３３には、リズムパターン３３ａが記憶される。図５は、リズムパターン３３ａの構成の一例を示す。
【００２９】
このリズムパターン３３ａは、キー識別子３３ｂと、キーの位置３３ｃと、タイミングデータ３３ｄと、音楽コンテンツ識別子３３ｅと、閾値３３ｆとが対応付けられた１組、または複数組の情報からなり、１組の情報が１つのリズムパターンと、そのパターンに付随する情報を示す。
【００３０】
キー識別子３３ｂは、タイミングデータ３３ｄが入力されたキーを識別する情報であって、入力部１６のキーを識別する情報であるか、「開閉」なる情報かである。「開閉」なる情報は、上下筐体ＭＳ１、ＭＳ２が開閉操作されることによってタイミングデータ３３ｄが入力されたことを示す。キーの位置３３ｃは、キー識別子３３ｂが入力部１６のキーを識別する情報である場合、そのキーは下筐体ＭＳ２の内面に設置されたキーであると「内面」なる情報で、そのキーが側面キー１６ｃに含まれるキーであると「側面」なる情報である。
【００３１】
タイミングデータ３３ｄは、たとえば、偶数個の数の列であって、列の数は、最初の数から最後の数に向けて、減少することはない。そして、奇数番目の数は、キー識別子３３ｂで識別されるキーの押下操作が開始された時刻を、偶数番目の数は、押下操作が終了された時刻を示す。
【００３２】
キー識別子３３ｂが「開閉」なる情報である場合、上下筐体ＭＳ１、ＭＳ２が開状態にされた時刻がキーの押下操作が開始された時刻に対応し、上下筐体ＭＳ１、ＭＳ２が閉状態にされた時刻がキーの押下操作が終了された時刻に対応するが、これに限るものではない。上下筐体ＭＳ１、ＭＳ２が閉状態にされた時刻がキーの押下操作が開始された時刻に対応し、上下筐体ＭＳ１、ＭＳ２が開状態にされた時刻がキーの押下操作が終了された時刻に対応するとしても良い。
【００３３】
なお、上記の全ての時刻から、最初にキー識別子３３ｂで識別されるキーの押下操作が開始された時刻を減算することにより、それぞれの数は、その時刻からの時間差であり、列の最初の数は０である。例えば、タイミングデータ３３ｄが「０、Ｔ１１、Ｔ１２、Ｔ１３、Ｔ１４、Ｔ１５」なる情報であれば、キー識別子３３ｂで識別されるキーの押下操作が最初に開始されてからＴ１２経過した際と、Ｔ１４経過した際とにそのキーの押下操作が開始され、その押下操作が最初に開始されてからＴ１１経過した際と、Ｔ１３経過した際と、Ｔ１５経過した際とにそのキーの押下操作が終了されたことを示す。
【００３４】
音楽コンテンツ識別子３３ｅは、その記憶されたリズムパターン３３ａが作成されるためのキーの押下操作がされた際に音楽再生部２４によって音楽コンテンツ２５ａが再生されていた場合、その音楽コンテンツ２５ａを識別する情報である。
【００３５】
閾値３３ｆは、リズムパターン３３ａに記憶されたタイミングデータ３３ｄと、入力部１６のキー操作によって、または、上下筐体ＭＳ１、ＭＳ２が開閉操作されることによって入力されたタイミングデータとの類似度がこの閾値３３ｆより大きい場合、認証が成功し、装置のロックが解除されることを示す。類似度については、後で詳述する。
【００３６】
なお、リズムパターン記憶部３３に記憶されるリズムパターン３３ａの数は、上述したように任意個であるが、これに限るものではない。１個としても良い。この場合、キーの位置３３ｃが「内面」であるリズムパターン３３ａとするのが好ましい。なぜなら、装置を一方の手で保持し、他方の手で下筐体ＭＳ２の内面に設置されたキーを操作することによって、最も使用者の意思に適うリズムの入力が可能だからである。
【００３７】
また、キー識別子３３ｂが「開閉」であるリズムパターン３３ａと、キーの位置３３ｃが「内面」であるリズムパターン３３ａと、キーの位置３３ｃが「側面」であるリズムパターン３３ａとの３個が記憶されるとしても良い。これらのリズムパターン３３ａの数に制限を設ける場合、既に最大個数のリズムパターン３３ａが記憶されている際にリズムパターン３３ａを記憶する際には更新記憶となる。
【００３８】
上記のように構成された、本発明の実施形態に係る移動通信端末の各部の動作を、図３ないし図５を参照して説明する。
【００３９】
制御部１１は、装置がロック状態にあるか、ロック解除状態にあるかを記憶する。そして、ロックの状態に応じて装置の各部を動作させ、または、動作させない制御をする。なお、後述するように、ロック解除状態は更に複数の状態に分けられる。
【００４０】
通信部１２ｂは、アンテナ１２ａが受信した高周波信号を送受信部１３へ出力し、また、送受信部１３から出力される高周波信号をアンテナ１２ａより送信する。
【００４１】
送受信部１３は、通信部１２ｂからの高周波信号を増幅、周波数変換及び復調し、それによって得られたデジタル音声信号を通話部１４ｃに送り、また、制御信号を制御部１１に送る。更には、通話部１４ｃから出力されるデジタル音声信号、及び制御部１１から出力される制御信号を変調、周波数変換及び増幅し、高周波信号を得て、それを通信部１２ｂに送る。
【００４２】
通話部１４ｃは、送受信部１３から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００４３】
表示部１５は、開閉信号ＭＳ３ｃによって上下筐体ＭＳ１、ＭＳ２が開状態にあると検出された場合に、制御部１１に制御されることで、文字・数字や画像データの表示動作を行い、表示されているデータは、入力部１６からの入力操作や着信信号に応答して制御部１１からの指示を受けることで切換わる。
【００４４】
入力部１６は、通信相手の電話番号を指定するための数字キーと複数の機能キーとを含むキーからなる。そして、入力部１６のキーが操作されると、そのキーの識別子が制御部１１に通知され、制御部１１によって、表示部１５に文字として表示され、または、制御が行われる。
【００４５】
アドレス帳管理部２１は、アドレス帳２２ａの情報を管理する。即ち、入力部１６の所定のキー操作に従って、アドレス帳２２ａの情報を表示部１５に表示し、新たな情報をアドレス帳２２ａに格納し、アドレス帳２２ａに記憶された情報を変更し、及び、アドレス帳２２ａに記憶された情報を削除する。更に、表示部１５に表示されたアドレス帳２２ａに含まれる電話番号を指定して、制御部１１に発呼処理を要求する。また、表示部１５に表示されたアドレス帳２２ａに含まれる電子メールアドレスを指定して、制御部１１に電子メールの送信を要求する。
【００４６】
電子メール送受信部２３は、電子メールを送受信する。即ち、入力部１６の所定のキーが操作された際に制御部１１によって起動され、送信する電子メールを入力部１６のキー操作によって作成し、作成された電子メールを通信部１２ｂ及び送受信部１３を起動して送信させる。
【００４７】
また、電子メール送受信部２３は、送受信部１３によって電子メール着信信号が受信されると制御部１１によって起動され、電子メールを受信し、電子メール送受信部２３に記憶する。そして、入力部１６の所定のキーが操作された際に起動され、入力部１６のキー操作に従って記憶された電子メールの１つを選択して表示部１５に表示する。
【００４８】
電子メール送受信部２３が送受信する電子メールには、添付ファイルが添付されていても良い。送信する電子メールに添付する添付ファイルは、例えば、音楽コンテンツ記憶部２５に記憶された音楽コンテンツ２５ａである。
【００４９】
受信された電子メールに添付ファイルが添付されていた場合、電子メール送受信部２３は、その添付ファイルの種類に応じ、音楽コンテンツ２５ａとして音楽コンテンツ記憶部２５に記憶する。
【００５０】
音楽再生部２４は、制御部１１によって音楽コンテンツ記憶部２５に記憶された音楽コンテンツ２５ａの１つを指定されて起動され、指定された音楽コンテンツ２５ａを再生し、音楽再生用のスピーカ２４ａから音楽を発生させる。音楽コンテンツ２５ａに動画像、または、静止画が含まれている場合、音楽再生部２４は、その動画像、または、静止画を復号して表示部１５に表示する。
【００５１】
また、制御部１１によって音楽コンテンツ２５ａの１つを指定されずに起動された場合、音楽再生部２４は、音楽コンテンツ記憶部２５に記憶された音楽コンテンツ２５ａを識別する情報、例えば、その曲名の一覧を表示部１５に表示し、入力部１６の所定のキー操作によって選択された音楽コンテンツ２５ａを再生する。
【００５２】
ＩＣチップ部２６は、ＩＣチップリーダライタからアンテナ２６ａを介して受信された電波の指示と、ＩＣチップ部２６内に記憶された情報とに従って、所定の動作を行う。動作の一例は、入場処理である。即ち、ＩＣチップ部２６内に所定の時刻に所定の劇場等への入場を許される情報が記憶される。そして、劇場等のゲートに設置されたＩＣチップリーダライタからその情報の送信を求められた場合、その情報を送信し、ＩＣチップリーダライタからその情報を受信した旨の通知を受信した場合、記憶された情報を入場済みである旨に更新記憶する。
【００５３】
ＩＣチップ部２６の動作の別の例は、支払い処理である。即ち、ＩＣチップ部２６内にプリペイドされた金額を記憶する。そして、支払い窓口に設置されたＩＣチップリーダライタから記憶された金額の送信を求められた場合、その金額を送信し、ＩＣチップリーダライタからその金額から支払うべき金額を減算された金額を受信した場合、記憶された金額を減算された金額に更新記憶する。
【００５４】
なお、ＩＣチップ部２６内に記憶される、所定の時刻に所定の劇場等への入場を許される情報、及び、プリペイドされた金額は、アンテナ１２ａを介して送受信部１３経由で受信されたものであっても良く、また、アンテナ２６ａを介して受信されたものであっても良い。
【００５５】
また、ＩＣチップ部２６の動作に必要な電力は、ＩＣチップリーダライタから送信され、アンテナ２６ａによって受信された電波からＩＣチップ部２６が作成するが、これに限るものではない。移動通信端末の各部に電力を供給する蓄電池（図示せず）から供給されるとしても良い。更に、上記の両者の電力を併せて用いても良い。
【００５６】
リズムパターン登録部３２は、制御部１１によって起動されて動作を開始し、音楽再生部２４を起動させ、音楽コンテンツ２５ａを再生させる。そして、その再生中に入力部１６のキー操作、または、上下筐体ＭＳ１、ＭＳ２の開閉操作からリズムパターン３３ａを作成して、リズムパターン記憶部３３に記憶する。
【００５７】
リズムパターン判定部３４は、制御部１１によって起動されて動作を開始し、音楽再生部２４を起動させ、音楽コンテンツ２５ａを再生させる。そして、入力部１６のキー操作、または、上下筐体ＭＳ１、ＭＳ２の開閉操作が行われた際、それらの操作によって入力されたリズムパターンと、リズムパターン記憶部３３に記憶されたリズムパターン３３ａとの類似度を評価する。そして、この評価された類似度に基づいて、認証に成功した、または、認証に失敗した旨を制御部１１に通知する。
【００５８】
以下、本実施形態に係る移動通信端末をロック状態にする動作、及び、ロック解除状態にする動作について説明する。
【００５９】
制御部１１は、装置がロック状態にあるか、第１のロック解除状態にあるか、第２のロック解除状態にあるか、第３のロック解除状態にあるかを記憶する。即ち、装置の電源が投入された時点、及び、装置がロック状態にない場合に入力部１６の所定のキー操作が行われると、装置をロック状態とする。そして、装置がロック状態にある場合、制御部１１は、装置の各部を動作させない制御をする。即ち、上下筐体ＭＳ１、ＭＳ２との開閉に依存せず、基地局から送信され、送受信部１３を経由して得られた信号の受信動作を行わない制御や、入力部１６のキーの操作を無視し、ＩＣチップ部２６を制御して、アンテナ２６ａを経由したＩＣチップリーダライタとの通信を行わせない制御をする。
【００６０】
ただし、制御部１１は、装置がロック状態にある場合、リズムパターン判定部３４を動作させ、入力部１６のキー操作及び上下筐体ＭＳ１、ＭＳ２の開閉操作は、リズムパターン判定部３４への入力とする制御をする。そして、リズムパターン判定部３４から認証に成功した旨の通知を受けた場合、同時にリズムパターン判定部３４から通知されたロック解除の種類、たとえば、第１のロック解除状態、第２のロック解除状態に応じて、装置を以下に示すロック解除状態におく。
【００６１】
端末が第１のロック解除状態にある場合、制御部１１は、装置がロック状態にある場合と同じ制御動作をするが、ＩＣチップ部２６を制御して、アンテナ２６ａを経由したＩＣチップリーダライタとの通信を行わせる制御をする。即ち、ＩＣチップ部２６のみを動作させる。装置が第１のロック解除状態におかれてから所定時間が経過した際、制御部１１は、装置が第１のロック解除状態にないとする制御を行う。その際、装置が第２、３のロック解除状態になければ、装置をロック状態におく。
【００６２】
装置が第２のロック解除状態にある場合、制御部１１は、装置がロック状態にある場合と同じ制御動作をするが、送受信部１３を動作させ、装置に通話動作をさせる制御をする。即ち、アドレス帳管理部２１、電子メール送受信部２３、音楽再生部２４及びＩＣチップ部２６を動作させない。装置が第３のロック解除状態にある場合、制御部１１は、装置の各部を動作させる制御をする。ただし、リズムパターン判定部３４を動作させない制御をする。
【００６３】
ここで、ロック状態は、ロック解除状態と排他的である。しかし、第１〜３のロック解除状態は、必ずしも排他的ではない。なお、制御部１１は、装置が上記のいずれの状態にあるかを問わず、各部に所定の動作を優先させる。例えば、装置の電源を切断する動作、警察（電話番号１１０）への発呼と通話などであって、この動作のために必要な入力部１６のキーの操作は、この動作のためになされたとみなし、リズムパターン判定部３４の動作に関するものとはみなさない。
【００６４】
図６は、リズムパターン登録部３２の動作のフローチャートを示す。リズムパターン登録部３２は、入力部１６の所定のキーが操作されることによって制御部１１に起動されて動作を開始し（ステップＳ３２ａ）、リズムパターンの登録に関するガイダンスを表示部１５に表示する（ステップＳ３２ｂ）。そして、音楽再生部２４を起動させ、入力部１６の所定のキー操作によって選択された音楽コンテンツ２５ａを再生させる（ステップＳ３２ｃ）。
【００６５】
そして、リズムパターン登録部３２は、その再生中に行われた入力部１６のキー操作、または、上下筐体ＭＳ１、ＭＳ２の開閉操作を入力し（ステップＳ３２ｄ）、入力が終了すると、音楽再生部２４の動作を停止させる（ステップＳ３２ｅ）。なお、入力の開始は、音楽再生中の任意の時点である。このため、正当でない使用者によって登録されるリズムパターン３３ａが予想される可能性は低い。また、入力の終了は、所定の時間に渡って入力部１６のキー操作、または、上下筐体ＭＳ１、ＭＳ２の開閉操作が行われないことによって判断する。
【００６６】
次に、リズムパターン登録部３２は、ステップＳ３２ｄで入力された操作からリズムパターン３３ａを作成してリズムパターン記憶部３３に記憶して（ステップＳ３２ｆ）、動作を終了する（ステップＳ３２ｇ）。
【００６７】
ここで、ステップＳ３２ｆのリズムパターン３３ａを作成する動作を詳述する。ステップＳ３２ｆで、キー操作が行われた場合、キー識別子３３ｂに操作されたキーの識別子を、キーの位置３３ｃに、操作されたキーが下筐体ＭＳ２の内面に設置されたキーであれば「内面」、側面キー１６ｃであれば「側面」を設定する。そして、上下筐体ＭＳ１、ＭＳ２の開閉操作が行われた場合、キー識別子３３ｂに「開閉」を設定する。
【００６８】
更に、キー操作が行われたか、上下筐体ＭＳ１、ＭＳ２が開閉操作されたかを問わず、操作が開始された、または、上下筐体ＭＳ１、ＭＳ２が開かれた時刻と、その操作が終了された、または、上下筐体ＭＳ１、ＭＳ２が閉じられた時刻からタイミングデータ３３ｄを設定し、再生された音楽コンテンツ２５ａを識別する情報を音楽コンテンツ識別子３３ｅに設定し、そして、所定の値を閾値３３ｆと設定する。そして、上記設定された情報をリズムパターン３３ａとしてリズムパターン記憶部３３に記憶する。
【００６９】
以上説明したように、リズムパターン登録部３２は、入力部１６のキー操作、または、上下筐体ＭＳ１、ＭＳ２の開閉操作を入力する間、音楽再生部２４に音楽コンテンツ２５ａを再生させる。そこで、装置の使用者は、音楽コンテンツ２５ａを聴取しつつ、その音楽コンテンツ２５ａのリズムに合わせて入力部１６のキー操作、または、上下筐体ＭＳ１、ＭＳ２の開閉操作を行うことによって、装置に記憶されるリズムパターン３３ａを正確に記憶することができる。
【００７０】
図７は、リズムパターン判定部３４の動作のフローチャートを示す。リズムパターン判定部３４は、制御部１１によって起動されて動作を開始し（ステップＳ３４ａ）、有効回数（ｎ。ここで、ｎは、正の整数。）、即ち、認証に失敗した際を考慮し、何回まで認証処理を繰り返すかを設定する（ステップＳ３４ｂ）。この有効回数は、所定の一定値でも良いし、後述するように、装置の使用者が認証作業に慣れるに従って小さい値としても良い。
【００７１】
次に、リズムパターン判定部３４は、音楽再生部２４を制御して、音楽コンテンツ識別子３３ｅで識別される音楽コンテンツ２５ａを再生させる（ステップＳ３４ｃ）。ここで、リズムパターン３３ａに複数組の情報が記憶されている場合、リズムパターン判定部３４は、後述する入力部１６のキー操作、または、上下筐体ＭＳ１、ＭＳ２の開閉操作が行われるまで音楽再生部２４に音楽コンテンツ２５ａを再生させることを待ち、操作されたキーが下筐体ＭＳ２の内面に設置されたキーであれば、キーの位置３３ｃが「内面」である組の音楽コンテンツ識別子３３ｅで識別される音楽コンテンツ２５ａを再生させる。
【００７２】
また、操作されたキーが側面キー１６ｃに含まれるキーであれば、リズムパターン判定部３４は、キーの位置３３ｃが「側面」である組の音楽コンテンツ識別子３３ｅで識別される音楽コンテンツ２５ａを再生させる。更に、上下筐体ＭＳ１、ＭＳ２の開閉操作が行われた場合、キー識別子３３ｂが「開閉」である組の音楽コンテンツ識別子３３ｅで識別される音楽コンテンツ２５ａを再生させる。
【００７３】
次に、リズムパターン判定部３４は、入力部１６のキー操作、または、上下筐体ＭＳ１、ＭＳ２の開閉操作が行われた際、その操作を入力する（ステップＳ３４ｄ）。なお、制御部１１がリズムパターン判定部３４を起動する契機となった入力部１６のキー操作は、リズムパターン判定部３４が入力するとしても良く、しないとしても良い。
【００７４】
そして、リズムパターン判定部３４は、入力された操作からリズムパターン、即ち、キー識別子と、キーの位置と、タイミングデータとを、リズムパターン登録部３２が作成する動作と同様に作成する。そして、そして、これらの作成されたリズムパターンと、リズムパターン記憶部３３に記憶されたリズムパターン３３ａとを比較して、類似度の大小と、適切なロック解除の種類とを評価する（ステップＳ３４ｅ）。この、類似度の大小と、適切なロック解除の種類とを評価については、後に詳述する。
【００７５】
次に、ステップＳ３４ｅで評価された類似度の大小によって、リズムパターン判定部３４は、動作を分岐する（ステップＳ３４ｆ）。類似度が大きいと判断された場合、リズムパターン判定部３４は、音楽再生部２４を制御して音楽再生を停止させ（ステップＳ３４ｇ）、認証に成功した旨と、ステップＳ３４ｅで適切と評価されたロック解除の種類とを制御部１１に通知して（ステップＳ３４ｈ）、動作を終了する（ステップＳ３４ｉ）。
【００７６】
一方、ステップＳ３４ｆで類似度が小さいと評価された場合、リズムパターン判定部３４は、有効回数（ｎ）が０であるか否かを判断し（ステップＳ３４ｊ）、有効回数（ｎ）が０である場合、ステップＳ３４ｂで設定された回数の動作を繰り返し行ったため、動作を終了する（ステップＳ３４ｉ）。ここで、動作の終了に先だって、認証に失敗した旨を制御部１１に通知しても良い。
【００７７】
一方、ステップＳ３４ｊで、有効回数（ｎ）が０でない場合、リズムパターン判定部３４は、有効回数（ｎ）から１を減じ（ステップＳ３４ｋ）、ステップＳ３４ｃの音楽再生部２４に音楽再生を行わせる動作に移る。この際、音楽再生部２４は起動されているので、新たに起動することは不要であるが、音楽コンテンツ識別子３３ｅで識別される音楽コンテンツ２５ａを改めて所定の箇所から再生させる。
【００７８】
ここで、ステップＳ３４ｅの、類似度の大小と、適切なロック解除の種類とを評価する動作について、詳説する。
【００７９】
図８は、これらの評価動作のフローチャートを示す。リズムパターン判定部３４は、ステップＳ３４ｄの動作に続き、作成されたリズムパターンのタイミングデータと、リズムパターン記憶部３３に記憶された全てのタイミングデータ３３ｄとを比較し、差分を評価する（ステップＳ３４ｍ）。これらのデータは、いずれも０から始まる減少しない数の列である。そこで、この列の最後、即ち、最大の数を等しくする正規化のため、一方のタイミングデータに含まれる全ての数に一定の数を乗算する。そして、０以外の数であって、これらのデータで始まりから同じ個数に位置する数の差の自乗の和を算出する。
【００８０】
この差分を評価する際、リズムパターン判定部３４は、作成されたリズムパターンのタイミングデータと、リズムパターン記憶部３３に記憶されたタイミングデータ３３ｄの最初の２個、または、４個の数を無視し、それぞれに含まれる数から３番目、または、５番目の数を減算し、上記と同様に数の差の自乗の和を算出しても良い。これは、最初の操作は、リズムパターン登録部３２によって登録される際と、リズムパターン判定部３４によって判定される場合とで、使用者が同じタイミングで操作をすることがやや困難だからである。
【００８１】
また、作成されたリズムパターンのタイミングデータと、リズムパターン記憶部３３に記憶されたタイミングデータ３３ｄに含まれる数の個数が異なる場合（一方がｐ、他方がｑ、ｐ＜ｑとする。）、リズムパターン判定部３４は、少ない個数（ｐ個）の数を比較することとし、多い個数（ｑ個）のデータの最初からｐ個の数を取り出して比較し、差分を評価する。また、多い個数（ｑ個）のデータの連続するｐ個の数であって、奇数番目の数から始まる数を取り出して比較し、差分を評価しても良い。なお、この場合、ｑ個の数から取り出されたｐ個の各数から、取り出された最初の数を減算して、最初の数を０にした上で比較し、差分を評価する。
【００８２】
また、上記作成されたリズムパターンと、リズムパターン記憶部３３に記憶されたリズムパターン３３ａとの差分を評価する際、リズムパターン判定部３４は、それぞれの奇数番目の数を取り出して比較し、差分を評価しても良い。これによれば、操作を開始するリズムの差分が評価される。また、それぞれの偶数番目の数を取り出して比較し、差分を評価しても良い。これによれば、操作を終了するリズムの差分が評価される。
【００８３】
また、リズムパターン判定部３４は、奇数番目の数とその次の数との差を取り出して比較し、差分を評価しても良い。これによれば、操作を開始してから終了するまでの時間のリズムの差分が評価される。また、偶数番目の数とその次の数との差を取り出して比較し、差分を評価しても良い。これによれば、操作を終了してから開始するまでの時間のリズムの差分が評価される。また、これらのリズムの差分の評価を組み合わせて評価しても良い。
【００８４】
そして、一定の数から評価された差分を減算することにより、類似度を評価し（ステップＳ３４ｎ）、その類似度と比較されたタイミングデータ３３ｄと組をなした閾値３３ｆとを比較し（ステップＳ３４ｏ）、類似度が閾値３３ｆ以上の場合、類似度は大きいと評価し、類似度が閾値３３ｆ未満の場合、類似度は小さいと評価する。
【００８５】
類似度が大きいと評価された場合、リズムパターン判定部３４は、作成されたリズムパターンのキーの位置を調べ、（ステップＳ３４ｐ）その位置が「側面」、即ち、ステップＳ３４ｄで操作されたキーが側面キー１６ｃであれば、第１のロック解除が適切と評価する（ステップＳ３４ｑ）。
【００８６】
次に、リズムパターン判定部３４は、作成されたリズムパターンのキー識別子と上記タイミングデータ３３ｄと組をなして記憶された記憶されたキー識別子３３ｂとを比較する（ステップＳ３４ｒ）。そして、両者が異なる場合、第２のロック解除が適切と判断する（ステップＳ３４ｓ）。一方、両者が等しい場合、第３のロック解除が適切と判断する（ステップＳ３４ｔ）。
【００８７】
ここで、類似度が大きいと判断された場合、適切と判断されるロック解除の種類は、１つ以上であり、１つに限るものではない。次に、リズムパターン判定部３４は、ステップＳ３４ｆの動作に移る。
【００８８】
一方、ステップＳ３４ｏで類似度が小さいと評価された場合、リズムパターン判定部３４は、ステップＳ３４ｐ〜Ｓ３４ｔにおけるいずれの種類のロック解除が適切であるかの判断の動作を行わずにステップＳ３４ｆの動作に移る。
【００８９】
なお、リズムパターン判定部３４は、ステップＳ３４ｎで評価された類似度が閾値３３ｆより大きい場合、閾値３３ｆを、上記類似度と閾値３３ｆの間の値に更新記憶しても良い。これによれば、使用者が記憶されたタイミングデータ３３ｄと高い類似度でキー操作または開閉操作ができるようになるにつれて、正当でない使用者によって上記キー操作または開閉操作をまねされることによる認証成功を防ぐことができる。
【００９０】
また、ステップＳ３４ｎで類似度が閾値３３ｆより大きいと評価された際の有効回数（ｎ）と当初ステップＳ３４ｂで設定された有効回数（ｎ）との間の有効回数（ｎ）を記憶し、次の動作の際にステップＳ３４ｂでその記憶された有効回数（ｎ）を設定しても良い。これによれば、使用者が少ない回数で記憶されたタイミングデータ３３ｄと高い類似度でキー操作または開閉操作ができるようになるにつれて、正当でない使用者によって上記キー操作または開閉操作をまねされることによる認証成功を防ぐことができる。
【００９１】
以上説明した、リズムパターン判定部３４の動作により、上下筐体ＭＳ１、ＭＳ２が閉状態にある場合、側面キー１６ｃの操作によって、上下筐体ＭＳ１、ＭＳ２を開状態に変化させることなくＩＣチップ部２６を動作させることができる。そこで、劇場の入り口などで、入場のために必要な認証処理が特に短時間で可能となる。
【００９２】
また、リズムパターン登録部３２によってリズムパターン３３ａを登録させる際に使用したキーと、リズムパターン判定部３４によって認証をさせる際に使用したキーとを異なるキーとすることによって、たとえ、認証をさせる際のキー操作を正当でない使用者に視認されたとしても、上記認証によって装置の全ての機能を動作させないため、機密保持に有効である。
【００９３】
以上の説明では、リズムパターン登録部３２によってリズムパターン３３ａを登録させる際、及び、リズムパターン判定部３４によって認証をさせる際に、音楽再生部２４によって音楽コンテンツ２５ａをスピーカ２４ａから再生させるとしたが、これに限るものではない。これに加えて、または、これに代えて、音楽コンテンツ２５ａに従って、着信報知などに用いられるＬＥＤ（図示せず）を点滅させても良い。ＬＥＤの点滅によれば、再生される音楽によって周囲の人にタイミングデータ３３ｄを予想されることがない。また、バイブレータ（図示せず）を振動させても良い。これによれば、周囲の人にリズムパターン登録部３２またはリズムパターン判定部３４が動作中であることが知られることがない。
【００９４】
更に、リズムパターン登録部３２によってリズムパターン３３ａを登録させる際、及び、リズムパターン判定部３４によって認証をさせる際に、音楽再生部２４は等間隔で所定の音声を発生させても良い。例えば、メトロノームの如き音声であり、また、メトロノームの如き動画像である。更に、音楽再生部２４に代えて、テレビ受信部（図示せず）、ラジオ受信部（図示せず）、ブラウザ部（図示せず）、または、ゲーム部（図示せず）を動作させて、これらの各部に音声を発生させても良い。また、これらの各部に動画像を表示させ、この表示を使用者が所定のリズムで操作する支援としても良い。
【００９５】
以上の説明では、リズムパターンは、入力部１６のキー操作、または、上下筐体ＭＳ１、ＭＳ２の開閉操作によって入力されるとしたが、これに限るものではない。装置は加速度センサー及び／またはジャイロセンサーを内蔵し、リズムパターンは、装置を振動させる操作によって入力されるとしても良い。
【００９６】
また、以上の説明では、装置は、近距離無線通信手段としてＩＣチップ部２６を有し、ＩＣチップリーダライタと通信するとしたが、これに限るものではない。例えば、ブルートゥース（登録商標）方式による通信をしても良い。また、無線ＬＡＮ方式による通信をしても良い。
【００９７】
また、以上説明したリズムパターンを用いた認証処理と、従来から行われている暗証番号による認証処理とを組み合わせて行っても良い。例えば、リズムパターンを用いた認証処理によって認証成功に至らない場合、暗証番号による認証処理を行うことも可能である。更に、以上の説明は、リズムパターンを認証処理に用いる例を説明したが、これに限るものではない。例えば、リズムパターンによって装置に指示を与えるとしても良い。本発明は以上の構成に限定されるものではなく、種々の変形が可能である。
【００９８】
また、上述の実施例で述べたリズムパターン判別部３４の判断基準となる類似度の閾値は、たとえば、ロック解除の種別に応じてセキュリティレベルを異ならせることも可能であり、また、操作者のロック解除動作の繰り返しによる慣れに応じて類似度の閾値を異ならせることも可能である。
【００９９】
また、リズムパターンを入力する入力部１６のキーを限定させることで、リズムパターンを他の操作者に知られた場合でもどのキーで入力するかを知られていなければ、ロック解除ができないとすることも可能である。
【図面の簡単な説明】
【０１００】
【図１】本発明の実施形態に係る折畳み型移動通信端末の上下筐体を開いた際の外観図。
【図２】本発明の実施形態に係る折畳み型移動通信端末の上下筐体を閉じた際の外観図。
【図３】本発明の実施形態に係る移動通信端末の構成を示すブロック図。
【図４】本発明の実施形態に係る認証処理部の構成を示すブロック図。
【図５】本発明の実施形態に係るリズムパターンの構成の一例を示す図。
【図６】本発明の実施形態に係るリズムパターン登録部の動作を示すフローチャート。
【図７】本発明の実施形態に係るリズムパターン判定部の動作を示すフローチャート（その１）。
【図８】本発明の実施形態に係るリズムパターン判定部の動作を示すフローチャート（その２）。
【符号の説明】
【０１０１】
ＭＳ１  上筐体
ＭＳ２  下筐体
ＭＳ３  ヒンジ部
ＭＳ３ｃ  開閉信号
１１  制御部
１３  送受信部
１５  表示部
１６  入力部
１６ｃ  側面キー
２１  アドレス帳管理部
２２  アドレス帳記憶部
２２ａ  アドレス帳
２４  音楽再生部
２５  音楽コンテンツ記憶部
２５ａ  音楽コンテンツ
２６  ＩＣチップ部
３１  認証処理部
３２  リズムパターン登録部
３３  リズムパターン記憶部
３３ａ  リズムパターン
３３ｂ  キー識別子
３３ｃ  キーの位置
３３ｄ  タイミングデータ
３３ｅ  音楽コンテンツ識別子
３３ｆ  閾値
３４  リズムパターン判定部
【図１】
2007235867.tif 000003
【図２】
2007235867.tif 000004
【図３】
2007235867.tif 000005
【図４】
2007235867.tif 000006
【図５】
2007235867.tif 000007
【図６】
2007235867.tif 000008
【図７】
2007235867.tif 000009
【図８】
2007235867.tif 000010